(57)【要約】  【目的】  ＭＤなどのカートリッジ付ディスクでもピックアップユニットの移送とディスクの搬送、更には磁気ヘッドの昇降を共通のモータで行うことのできるディスクドライブ装置を提供する。  【構成】  ネジ軸５とピックアップユニット２とに係合する従動体６を備える。従動体６は、ネジ軸５の正逆回転によりピックアップユニット２の移送方向に往復直線運動を行い、ピックアップユニット２の可動範囲内では従動体６がピックアップユニット２を連れて移動し、ピックアップユニット２の可動範囲外へは従動体６の単独移動が許容される。そして、ピックアップユニット２が可動範囲一端部に停止された状態で従動体６をピックアップユニット２の可動範囲外へ単独移動させたとき、可逆モータ７に繋がる伝動経路が切り換わる。【選択図】  図８
2005044480.tif 000002
【特許請求の範囲】
【請求項１】
ディスクの搬出入を行うディスク搬送手段と、このディスク搬送手段により搬入されたディスクを載せるターンテーブルと、ディスクに記録された情報を読み取るピックアップユニットと、このピックアップユニットをターンテーブル上に載せられたディスクの半径方向に移送するピックアップ移送手段と、駆動源と、前記ピックアップ移送手段に前記駆動源の動力を伝達する第１伝動系と、前記ディスク搬送手段に前記駆動源の動力を伝達する第２伝動系と、前記駆動源に繋がる伝動経路を前記第１伝動系と第２伝動系の一方から他方へ切り換える伝動経路切換手段とを備えたディスクドライブ装置において、
前記ピックアップ移送手段は第１伝動系による伝達動力を得て正逆に回転する原動体と、該原動体とピックアップユニットとに係合する従動体とを有し、その従動体は前記原動体の正逆回転によりピックアップユニットの移送方向に往復直線運動を行い、ピックアップユニットの可動範囲内では前記従動体がピックアップユニットを連れて移動すると共に、ピックアップユニットの可動範囲外へは前記従動体の単独移動が許容され、前記ピックアップユニットが可動範囲一端部に停止された状態で前記従動体をピックアップユニットの可動範囲外へ単独移動させたときには、前記伝動経路切換手段が作動して駆動源に繋がる伝動経路が前記第１伝動系から第２伝動系に切り換わることを特徴とするディスクドライブ装置。
【請求項２】
ピックアップユニット上に昇降可能に設けられる情報記録用の磁気ヘッドと、この磁気ヘッドを昇降させるヘッド昇降手段とを備え、前記ヘッド昇降手段は磁気ヘッドを上昇させるためのヘッドリフタと、このヘッドリフタをロックするロック体とを有し、そのロック体によるヘッドリフタのロック時には磁気ヘッドが上限位置に保持され、従動体をピックアップユニットの可動範囲一端部より外方へ移動させたときには、前記ロック体によるヘッドリフタのロックが解除されて磁気ヘッドがディスクに向けて降下することにより該ディスクへの情報記録が可能とされることを特徴とする請求項１記載のディスクドライブ装置。
【請求項３】
ロック体が従動体の移動経路に隣接して旋回可能に設けられ、ピックアップユニットの可動範囲内では前記従動体とロック体の側面部が接触ないしは近接してヘッドリフタのロック解除方向へのロック体の旋回が規制され、前記従動体がピックアップユニットの可動範囲一端部より外方へ移動する際には前記ロック体の部位を従動体が押圧して該ロック体をヘッドリフタのロック解除方向へ旋回させることを特徴とする請求項２記載のディスクドライブ装置。
【請求項４】
ピックアップユニット上に昇降可能に設けられる情報記録用の磁気ヘッドと、この磁気ヘッドを昇降させるヘッド昇降手段とを備え、前記ヘッド昇降手段は磁気ヘッドを上昇させるためのヘッドリフタと、このヘッドリフタをロックするロック体と、ターンテーブルを回転させるための正逆回転可能なディスク回転用モータと、このモータをディスク再生時の正転方向とは逆向きに駆動させることにより前記ロック体と係合して該ロック体によるヘッドリフタのロックを解除する解錠手段とを具備して構成され、前記ロック体によるヘッドリフタのロック時には磁気ヘッドが上限位置に保持され、前記ディスク回転用モータの逆転によりロック体によるヘッドリフタのロックが解除されたときには磁気ヘッドがディスクに向けて降下して該ディスクへの情報記録が可能とされることを特徴とする請求項１記載のディスクドライブ装置。
【請求項５】
ピックアップ移送手段を構成する原動体がネジ軸であり、これに係合する従動体には前記ネジ軸の外周面に弾性部材にて押圧されるラック部が形成されると共に、前記ネジ軸の近傍には前記弾性部材がネジ軸に対するラック部の押圧方向とは逆向きに弾性変形するのを規制するリブが設けられ、前記従動体が移動限界位置に達したときは前記弾性部材及びラック部がリブの端部位置から外れてネジ軸に対するラック部の離間が許容されることを特徴とする請求項１記載のディスクドライブ装置。
【請求項６】
ピックアップユニットと従動体の係合部分が両者の何れか一方に形成される凸部と他方に形成される凹部とから成り、その凹部は前記凸部の先端が嵌まり込む狭角部と該狭角部の両縁よりハの字状に広がる広角部との二段構造とされ、前記従動体がピックアップユニットの可動範囲外へ移動するときに前記凸部の先端が狭角部より離脱して広角部と凸部の先端面とが摺接することを特徴とする請求項１記載のディスクドライブ装置。
【発明の詳細な説明】
【技術分野】
【０００１】
本発明はディスクに音楽などの情報を記録したり、その記録情報を再生するのに用いられるディスクドライブ装置に係わり、特にミニディスク(ＭＤ)などのように所定のカートリッジに内蔵された光磁気ディスクの記録再生用にして好適なディスクドライブ装置に関する。
【背景技術】
【０００２】
従来、音楽情報などの記録媒体としてＭＤ、ＣＤ、ＤＶＤといったディスクが知られるが、その記録情報を再生するための装置はディスクを載せて回転するターンテーブル、回転中のディスクから記録情報を読み取るピックアップユニット、そのユニットをディスクの半径方向に移送するための機構、及びディスクを搬出入するための機構などを有し、記録可能なディスクに対応するものでは磁気ヘッドを備える。特に、係るディスクドライブ装置では、ディスクの回転、搬送、ピックアップの移送、並びに磁気ヘッドの昇降を行うため、それらの駆動源として複数のモータを装備するが、モータの数を増やすと装置の大型化や高コスト化を招くことになる。このため、ディスクの搬送とピックアップの移送に共通のモータを使用したり、ディスクの搬送と磁気ヘッドの昇降に共通にモータを使用したりすることが行われている。
【０００３】
例えば、ディスクの搬送とピックアップの移送に共通のモータを使用するディスクドライブ装置では、ピックアップユニットをディスクの内周側か外周側の一方に移動させることにより、モータの動力伝達経路がピックアップの移送系からディスクの搬送系に切り換わってディスクの排出が行われるようにしている(例えば、特許文献１)。
【０００４】
【特許文献１】特開２００１−３２５７７５号公報。
【発明の開示】
【発明が解決しようとする課題】
【０００５】
然し乍ら、特許文献１に開示されるような装置では、ディスクの再生中にモータの伝動経路がディスク搬送側に切り換わってしまうことがないよう、ディスクの情報記録エリア外へピックアップユニットを移送したときディスク搬送系に伝動経路が切り換わるようにしなければならない。このため、ピックアップユニットの可動範囲を大きく設定する必要が生じ、装置が大型化するという欠点があった。
【０００６】
特に、ＭＤなどのようにカートリッジに収められたディスクでは、ディスクの情報記録エリアを露出させるためにカートリッジの一部を開口し、その開口部内でピックアップユニットの対物レンズなどがディスクに近接されるようにしてあることから、伝動経路をディスク搬送側に切り換えるべくピックアップユニットをディスクの情報記録エリア外に移送しようとしても、ディスクカートリッジとピックアップユニットが干渉し合ってピックアップユニットの移送を行えない。
【０００７】
よって、ＣＤなどのようにカートリッジを持たないディスクでは、ピックアップユニットを伝動経路切換用のトリガーとして利用することはできても、これをカートリッジ付きのディスクに適用することはできず、カートリッジ付ディスクに対応する従来のディスクドライブ装置は、ディスクの回転、ピックアップユニットの移送、及びディスクの搬送に別々のモータを使用していたため、装置の小型化、低コスト化が困難であった。
【０００８】
一方、磁気ヘッドの昇降動作の駆動源として専用のモータを備えることは、同様に装置の小型化、低コスト化を困難にするものであり、他の駆動源との共用化が望まれている。
【０００９】
本発明は以上のような事情に鑑みて成されたものであり、その主たる目的はＭＤなどのカートリッジ付ディスクでもピックアップユニットの移送とディスクの搬送を共通のモータで行うことのできるディスクドライブ装置を提供することにある。
【００１０】
又、本発明は専用のモータを使用する事なく磁気ヘッドの昇降動作を行うことのできるディスクドライブ装置を提供することを目的とする。
【課題を解決するための手段】
【００１１】
本発明は上記目的を達成するため、ディスクの搬出入を行うディスク搬送手段と、このディスク搬送手段により搬入されたディスクを載せるターンテーブルと、ディスクに記録された情報を読み取るピックアップユニットと、このピックアップユニットをターンテーブル上に載せられたディスクの半径方向に移送するピックアップ移送手段と、駆動源と、前記ピックアップ移送手段に前記駆動源の動力を伝達する第１伝動系と、前記ディスク搬送手段に前記駆動源の動力を伝達する第２伝動系と、前記駆動源に繋がる伝動経路を前記第１伝動系と第２伝動系の一方から他方へ切り換える伝動経路切換手段とを備えたディスクドライブ装置において、
前記ピックアップ移送手段は第１伝動系による伝達動力を得て正逆に回転する原動体と、該原動体とピックアップユニットとに係合する従動体とを有し、その従動体は前記原動体の正逆回転によりピックアップユニットの移送方向に往復直線運動を行い、ピックアップユニットの可動範囲内では前記従動体がピックアップユニットを連れて移動すると共に、ピックアップユニットの可動範囲外へは前記従動体の単独移動が許容され、前記ピックアップユニットが可動範囲一端部に停止された状態で前記従動体をピックアップユニットの可動範囲外へ単独移動させたときには、前記伝動経路切換手段が作動して駆動源に繋がる伝動経路が前記第１伝動系から第２伝動系に切り換わることを特徴とする。
【００１２】
又、上記のようなディスクドライブ装置において、ピックアップユニット上に昇降可能に設けられる情報記録用の磁気ヘッドと、この磁気ヘッドを昇降させるヘッド昇降手段とを備え、前記ヘッド昇降手段は磁気ヘッドを上昇させるためのヘッドリフタと、このヘッドリフタをロックするロック体とを有し、そのロック体によるヘッドリフタのロック時には磁気ヘッドが上限位置に保持され、従動体をピックアップユニットの可動範囲一端部より外方へ移動させたときには、前記ロック体によるヘッドリフタのロックが解除されて磁気ヘッドがディスクに向けて降下することにより該ディスクへの情報記録が可能とされることを特徴とし、しかもロック体が従動体の移動経路に隣接して旋回可能に設けられ、ピックアップユニットの可動範囲内では前記従動体とロック体の側面部が接触ないしは近接してヘッドリフタのロック解除方向へのロック体の旋回が規制され、前記従動体がピックアップユニットの可動範囲一端部より外方へ移動する際には前記ロック体の部位を従動体が押圧して該ロック体をヘッドリフタのロック解除方向へ旋回させることを特徴とする。
【００１３】
一方、ヘッド昇降手段が磁気ヘッドを上昇させるためのヘッドリフタと、このヘッドリフタをロックするロック体と、ターンテーブルを回転させるための正逆回転可能なディスク回転用モータと、このモータをディスク再生時の正転方向とは逆向きに駆動させることにより前記ロック体と係合して該ロック体によるヘッドリフタのロックを解除する解錠手段とを具備して構成され、前記ロック体によるヘッドリフタのロック時には磁気ヘッドが上限位置に保持され、前記ディスク回転用モータの逆転によりロック体によるヘッドリフタのロックが解除されたときには磁気ヘッドがディスクに向けて降下して該ディスクへの情報記録が可能とされることを特徴とする。
【００１４】
又、ピックアップ移送手段を構成する原動体がネジ軸であり、これに係合する従動体には前記ネジ軸の外周面に弾性部材にて押圧されるラック部が形成されると共に、前記ネジ軸の近傍には前記弾性部材がネジ軸に対するラック部の押圧方向とは逆向きに弾性変形するのを規制するリブが設けられ、前記従動体が移動限界位置に達したときは前記弾性部材及びラック部がリブの端部位置から外れてネジ軸に対するラック部の離間が許容されることを特徴とする。
【００１５】
更に、ピックアップユニットと従動体の係合部分が両者の何れか一方に形成される凸部と他方に形成される凹部とから成り、その凹部は前記凸部の先端が嵌まり込む狭角部と該狭角部の両縁よりハの字状に広がる広角部との二段構造とされ、前記従動体がピックアップユニットの可動範囲外へ移動するときに前記凸部の先端が狭角部より離脱して広角部と凸部の先端面とが摺接することを特徴とする。
【発明の効果】
【００１６】
本発明のディスクドライブ装置によれば、一つのモータ(駆動源)でディスクの搬送とピックアップユニットの移送を行えるようにしているので装置の小型化、低コスト化を図れ、特にピックアップ移送手段がピックアップユニットの可動範囲外へ単独移動する従動体を備え、その従動体がピックアップユニットの可動範囲外へ単独移動することにより、ピックアップユニットの移送動作とディスクの搬送動作が切り換わるようにしている事から、ＣＤやＤＶＤのみならず、ＭＤのようなカートリッジ付きディスクの記録再生用にして、ピックアップユニットをディスクカートリッジに干渉させる事なくピックアップユニットの移送動作とディスクの搬送動作の切り換えを確実に行うことができる。
【００１７】
加えて、請求項２の発明では、従動体をピックアップユニットの可動範囲外へ移動させることにより磁気ヘッドが降下するようにしている事から、３つの動作を一つのモータで行え、安価な装置の提供が可能になり、しかも請求項３では外部から伝播する振動などにより磁気ヘッドが不用意に降下するのを防止できる。
【００１８】
一方、請求項４の発明ではディスク回転用モータを利用して磁気ヘッドを降下させるようにしていることから、磁気ヘッドを昇降させる専用のモータを搭載せずして装置の小型化、低コスト化を図ることができる。
【００１９】
又、請求項５の発明では、過負荷による従動体の破損を防止できる上、その移動を良好に行えることからピックアップユニットの移送精度が向上する。
【００２０】
更に、請求項６の発明では、ピックアップユニットの可動範囲内で従動体の動力をピックアップユニットにロス無く伝達して両者を正確に移動させることができ、しかもピックアップの可動範囲外へは従動体を低負荷で円滑に移動させることができる。
【発明を実施するための最良の形態】
【００２１】
以下、本発明の適用例を図面に基づいて詳しく説明する。図１は係るディスクドライブ装置の要部を示した平面概略図である。図１において、１はターンテーブル、２はターンテーブルに載せられたディスクの記録情報を読み取るピックアップユニットであり、このピックアップユニット２はキャリッジ２Ａに対物レンズ２Ｂやフォトダイオードといった光学部品を搭載するなどして構成される。特に、このピックアップユニット２は、キャリッジ２Ａの両端部を支持するガイド軸３及びガイドレール４に沿って、ディスク内周部の初期位置からディスク外周部の終端位置までの区間を可動範囲としてディスクの半径方向に移動可能とされる。
【００２２】
尚、初期位置では対物レンズ２Ｂがディスクのリードインエリアに対応して該エリアに記録されたＴＯＣ(Total Of Contents)を読み取ることができ、ピックアップユニット２の終端位置はディスクの情報記録エリア最外周に一致する。そして、係るピックアップユニット２は、後述するピックアップ移送手段によりディスクの半径方向に移送されつつ、ディスクのピット列にレーザ光を照射してディスクからの反射光により記録情報を再生することができる。
【００２３】
ここで、上記のピックアップ移送手段は、ピックアップユニット２の移送方向に平行して回転自在に設けられるネジ軸５(原動体)と、このネジ軸に係合する従動体６とで構成される。従動体６はネジ軸５とピックアップユニット２との間に介在され、ネジ軸５の正逆回転によりその軸方向(ピックアップユニットの移送方向)に往復直線運動を行い、ピックアップユニット２とはその移送方向に相対移動可能にして係合される。尚、原動体としてのネジ軸５に代えてピニオンを用い、これに係合する従動体を長尺なラックとすることもできる。
【００２４】
７はピックアップ移送手段を作動させるための可逆モータ(駆動源)であり、その可逆モータ７は図示せぬディスク搬送手段の駆動源としても共用される。８は可逆モータの動力をディスク移送手段とディスク搬送手段とに交互に伝達する歯車伝動部であり、これはディスク移送手段に繋がる第１伝動系８Ａとディスク搬送手段に繋がる第２伝動系８Ｂとの二系統で構成される。第１伝動系は、可逆モータの駆動軸に取り付けられるギア９、これに噛み合うギア１０、その小径部に噛み合うギア１１、これに噛み合う切換ギア１２、これに噛み合うギア１３、その小径部に噛み合うギア１４、及びそのギア１４に噛み合うウォーム１５から成り、そのウォーム１５はネジ軸５の一端部に固定されて該ネジ軸に可逆モータ７の回転駆動力を出力する。
【００２５】
一方、第２伝動系８Ｂは、第１伝動系と共通のギア９〜１２と、切換ギア１２に噛み合うギア１６、その小径部に噛み合うギア１７、及びギア１７に噛み合うギア１８から成り、そのギア１８を通じてディスク搬送手段に可逆モータ７の回転駆動力が出力される構成としてある。
【００２６】
尚、第１伝動系と第２伝動系のギア１３，１６は段違いに設けられていると共に、第１伝動系と第２伝動系に共通の切換ギア１２は両系統の分岐点にあってギア１３，１６の何れか一方と噛み合うよう両者の高低差だけ上下に移動可能に設けられる。１９は切換ギアを昇降させるためのカムホイールであり、その底部には図示せぬカム部が形成され、そのカム部に切換ギア１２から延びる従節１２Ａを接触せしめることにより、第１伝動系８Ａと第２伝動系８Ｂを切り換える伝動経路切換手段が構成される。
【００２７】
ここに、カムホイール１９の外周にはギア１１と噛み合うギア部１９Ａが形成されると共に、そのギア部１９Ａの一部は歯の存在しない欠歯部１９Ｂとされ、可逆モータ７の動力をディスク移送手段とディスク搬送手段の何れかに伝達している最中には欠歯部１９Ｂがギア１１に対向してカムホイール１９が回転せぬようにしてある。又、カムホイール１９の上方(図の紙面直角方向手前側)には歯車伝動部８を覆う図示せぬカバーに揺動アーム２０とスライドアーム２１が取り付けられ、それらアーム２０，２１によってカムホイール１９の部位が押圧されたときにはギア部１９Ａがギア１１と噛み合う位置まで送られ、その両者が噛み合った段階でカムホイール１９がギア１１により回転され、而して切換ギア１２の上昇又は降下が行われて伝動経路が第１伝動系８Ａと第２伝動系８Ｂの一方から他方へ切り換わるようになっている。尚、揺動アーム２０は後述するスライドカムにより作動されると共に、スライドアーム２１は従動体６によって作動されるが、本例において従動体６がスライドアーム２１の一端部を押圧したときにはカムホイール１９が図１の時計方向に回転して切換ギア１２を押し上げ、これにより可逆モータ７に繋がる伝動経路が第１伝動系８Ａから第２伝動系８Ｂに切り換わる構成としてある。
【００２８】
図２はその状態を示した説明図であり、同図中の斜線部分は動力の伝達経路を示している。この図で明らかなように、従動体６はピックアップユニット２の可動範囲外へ移動可能とされており、特に本例ではピックアップユニット２が可動範囲一端部である初期位置に停止された状態(図２(Ａ))で従動体６をそれより外方に単独移動させることにより、その従動体６でスライドアーム２１が押圧されてカムホイール１９が図２の時計方向に回転を始め(図２(Ｂ))、これにより伝動経路が第１伝動系８Ａから第２伝動系８Ｂに切り換わるようになっている(図２(Ｃ)〜図２(Ｄ))。
【００２９】
一方、図３に示すように、歯車伝動部８上には上記のスライドカム２２が設けられ、そのスライドカム２２は第２伝動系を構成するギア１８の小径部と噛み合うギア部２２Ａを有してディスクの搬送方向(図３の矢印方向)に移動可能とされる。そして、そのスライドカム２２は、図示せぬディスクホルダに接続してディスクの搬出入を行うディスク搬送手段を構成する。尚、ディスク搬送手段を送りローラとすることもできるが、本例ではＭＤを格納するディスクホルダにもギア１８と噛み合うラックを形成し、そのディスクホルダにディスクを入れて押し込むと該ディスクホルダが装置内部に引き込まれ、これが所定位置まで引き込まれたときに該ディスクホルダでスライドカム２２が押圧されてそのギア部２２Ａがギア１８と噛み合い、而してディスクホルダとスライドカム２２が内部へ進行を続けてターンテーブル１上にディスクの中心部が載せられるようになっている。そして、ディスクがターンテーブル１上に載せられる直前にスライドカム２２が揺動アーム２０の一端部を押圧し、これによりカムホイール１９が図３の反時計方向に回転を始めて伝動経路を第２伝動系８Ｂから第１伝動系８Ａに切り換えるようになっている。
【００３０】
又、図３から明らかなように、ピックアップユニット２上には上下方向(図の紙面直角方向における手前側と奥側)に揺動可能なピッチングアーム２３が設けられ、その先端に対物レンズ２Ｂと対向する磁気ヘッド２４が取り付けられる。２５はピッチングアームの一端部を押圧して磁気ヘッドを上昇させるヘッドリフタであり、このヘッドリフタ２５は一端部両側に支点軸２５Ａを有して装置のシャーシに揺動自在に取り付けられ、その側面部にはスライドカム２２により押下されるロックピン２５Ｂが設けられる。又、ヘッドリフタ２５の下部には該ヘッドリフタをロックするロック体２６を設けて磁気ヘッド２４の昇降操作を行うヘッド昇降手段が構成される。
【００３１】
図４のように、ロック体２６は円形状のハブ２６Ａを形成し、そのハブより隔たる位置にはヘッドリフタをロックするための掛爪２６Ｂ、その掛爪をヘッドリフタのロック方向に付勢するためのバネを引っ掻けるフック２６Ｃ、及び掛爪によるヘッドリフタのロックを解除するための解錠ピン２６Ｄが形成される。
【００３２】
そして、係るロック体２６は、図５に示すように、シャーシに形成されるピン２７をハブ２６Ａに差し込むことにより従動体６の移動経路に隣接して旋回可能に設けられる。特に、ロック体２６はフック２６Ｃに掛けられるバネ２８の作用で図５の時計方向に付勢され、これにより掛爪２６Ｂがヘッドリフタに形成される係止部２５Ｃに係止するようになっている。又、ピックアップユニットの可動範囲内では従動体６とロック体２６の側面部が接触ないしは近接してヘッドリフタのロック解除方向(図５の反時計方向)へのロック体２６の旋回が規制され、従動体６がピックアップユニットの可動範囲一端部(本例においてディスク外周側の終端位置＜図１の範囲Ｌの右側端＞)より外方へ移動する際には、想像線で示す如く従動体６がロック体２６の解錠ピン２６Ｄを押圧して該ロック体をヘッドリフタのロック解除方向へ旋回させるようになっている。
【００３３】
図６はロック体によりヘッドリフタがロックされた状態であり、この状態ではヘッドリフタ２５の先端部がピッチングアーム２３の一端部を押下することにより該ピッチングアームの先端部に設けられる磁気ヘッド２４が上限位置に保持される。
【００３４】
一方、図７はロック体によるヘッドリフタのロックが解除された状態であり、この状態では磁気ヘッド２４がディスクに向けて降下することによりディスクへの情報記録が可能とされる。尚、ピッチングアーム２３は図示せぬバネにより磁気ヘッド２４が降下する方向に付勢されるのであり、このためヘッドリフタ２５はロック体２６によるロックが解除されると先端部がピッチングアーム２３の一端部で押し上げられる。しかも、従動体６がピックアップユニットの可動範囲内に戻されるとロック体の掛爪２６Ｂが係止部２５Ｃの下方に入り込んでヘッドリフタ２５の下方揺動(図７における支点軸２５Ａを中心とする反時計方向の揺動)を規制するために、ディスクへの情報記録時にピッチングアーム２３の一端部がヘッドリフタ２５により押下されることはなく、これにより磁気ヘッド２４のディスクからの離間が防止される。
【００３５】
又、図６及び図７のように、スライドカム２２にもヘッドリフタ２５を下限位置でロックする板カム部２２Ｂが形成されるが、これはロック体２６によりヘッドリフタ２５を再ロックするのに用いられる。つまり、ディスクへの情報記録後にはロック体２６でヘッドリフタ２５を再ロックして磁気ヘッド２４を上限位置に保持するが、そのためにはヘッドリフタ２５を下方(図６及び図７における支点軸２５Ａを中心とする反時計方向)に揺動せしめて係止部２５Ｃをロック体の掛爪２６Ｂによるロック位置まで降下させる必要がある。そこで、ロック体２６によりヘッドリフタ２５を再ロックする場合には、従動体６をピックアップユニットの可動範囲一端部(本例においてディスク内周側の初期位置＜図１の範囲Ｌの左側端部＞)より外方へ移動させるのであり、これにより上記の如く伝動経路が第２伝動系に切り換わり、図６の想像線で示すようスライドカム２２の前方移動が行われ、その板カム部２２Ｂがヘッドリフタのロックピン２５Ｂを押下する。尚、このとき従動体６がロック体２６の側方から外れた位置(図５の実線位置より左方)にあってロック体２６がロック解除方向への揺動を許容されることから、スライドカム２２によるヘッドリフタ２５の下方揺動(図７における支点軸２５Ａを中心とする反時計方向の揺動)が行われると、係止部２５Ｃにより掛爪２６Ｂの先端斜面部が押圧されてロック体２６がロック解除方向に旋回され、係止部２５Ｃが下降端に達した段階でロック体２６がバネ２８の作用でロック方向に引き戻され、而して係止部２５Ｃにロック体の掛爪２６Ｂが係止してヘッドリフタ２５の再ロックが完了する。
【００３６】
次に、図８はピックアップユニット２を一端部を示す。尚、図８において、２９は上記のピッチングアームを支持するためにピックアップユニットのキャリッジ２Ａ上に固定したＬ字形のブームである。
【００３７】
図８で明らかなように、ピックアップユニットはキャリッジ２Ａの底面にネジ留めされる固定板３０を備える。図９のように固定板３０はベース部３１と該ベース部より延びるＴ字形のアーム部３２を有し、ベース部３１には従動体を係合せしめる凹部３３とキャリッジにネジ留めるための取付孔３４が形成される。尚、固定板３０を別体として形成しキャリッジ２Ａにネジ留めするのでなく、これをキャリッジ２Ａと一体に形成してもよい。
【００３８】
一方、図８及び図１０のように、従動体６は本体部６１と該本体部に連なる揺動自在なラック部６２及びアーム部６３を備える。本体部６１にはネジ軸５を貫通せしめる左右一対のブラケット６４が形成されるほか、上記のスライドアーム２１とロック体の解錠ピン２６Ｄとを押圧するための突片６５が形成される。ラック部６２はアーム部６３の内側にあってネジ軸５の螺旋溝に係合する歯部６６を形成し、アーム部６３の先端には上記の凹部３３に係合する凸部６７が形成される。又、図１１のようにラック部６２とアーム部６３の底面先端部分にはボス６８，６９が突設され、係る従動体６の底面には図１２のような弾性部材(板バネ７０)が取り付けられる。
【００３９】
図８のように、板バネ７０はボス６８を介してラック部６２をネジ軸５の外周面に押圧するのであり、このためネジ軸５の螺旋溝にラック部の歯部６６が係合した状態を保ち、ネジ軸５の回転駆動時にはその軸方向へ従動体６を確実に移動させることができる。尚、固定板のアーム部３２は、従動体の本体部６１に摺接して従動体６が図８の反時計方向に揺動するのを規制するが、そのアーム部３２を省略して従動体の本体部６１をキャリッジ２Ａの底面に摺接させるようにしてもよい。
【００４０】
上記のように、ラック部６２は板バネ７０の作用などによりネジ軸との係合状態を保つ事ができるが、板バネ７０による押圧力が過大であると従動体６の負荷が高まってその円滑な動作に支障を来し、これを防止するべく板バネ７０の押圧力を過小にすると、ラック部６２がネジ軸５から離間して従動体６の動作不良を惹起する。
【００４１】
そこで、本例によれば、ラック部６２に作用する板バネ７０の押圧力が従動体６の円滑な動作を損なわれない程度に小さく設定され、ネジ軸５の近傍には図８のようにその軸方向に沿って板バネ７０がラック部６２の押圧方向とは逆向きに弾性変形するのを規制するリブ７１が設けられる。つまり、リブ７１は従動体６の移動経路に沿って設けられ、ラック部６２とは板バネ７０を介して対向される。これによれば、ラック部６２に与える押圧力が小さな板バネ７０でも、外部から伝播する振動などによりラック部６２がネジ軸５から離間するのを防止することができる。
【００４２】
特に、図１３のようにリブ７１の有効長さＬ１は従動体の動作可能範囲Ｌ２より短く設定され、従動体６が伝動経路切換手段並びにヘッド昇降手段を作動させた後で移動限界位置に達したときは、板バネ７０及びラック部６２がリブ７１の端部位置(有効端)から外れてネジ軸５に対するラック部６２の離間が許容されるようにしてある。これによれば、機構系や電気系に不具合が発生してネジ軸５の停止動作が遅れた場合などでも、ネジ軸５の両端部でラック部６２をネジ軸５から離間せしめて過負荷によるピックアップ移送手段の破損を防止することができる。
【００４３】
又、上記の板バネ７０はラック部６２のみならず、図８のようにアーム部６３をピックアップユニット２側に付勢して凹部３３と凸部６７を係合状態に保つ働きをする。図１４から明らかなように、凸部６７の先端は丸められ、凹部３３は凸部６７の先端が嵌まり込む狭角部３３Ａと該狭角部の両縁よりハの字状に広がる広角部３３Ｂとの二段構造とされる。ここで、ピックアップユニットの可動範囲内では狭角部３３Ａに凸部６７の先端が嵌まり込むのであり、このためネジ軸５を正逆に回転駆動して従動体６をピックアップユニットの移送方向に移動させると、凹部の狭角部３３Ａに凸部６７の先端が嵌まり込んだまま従動体６にピックアップユニット２が同行して同方向に移動する。
【００４４】
一方、ピックアップユニット２が初期位置と終端位置の何れか一方に達したときには、上記の如くピックアップユニット２を初期位置か終端位置に残してその可動範囲外へ従動体６のみを単独移動させることができる。つまり、ピックアップユニット２が初期位置又は終端位置に達した後もネジ軸５の回転を続行すると、図１４の想像線で示すよう凹部の狭角部３３Ａから凸部６７が離脱し、凹部の広角部３３Ｂと凸部６７の先端面が摺接しながら従動体６がピックアップユニットの可動範囲外へ移動する。尚、従動体６が移動限界位置に達しても凸部６７は広角部３３Ｂと係合状態を保つ構成としてある。
【００４５】
このように、凹部を狭角部３３Ａと広角部３３Ｂとの二段構造としていることから、ピックアップユニットの可動範囲内では狭角部３３Ａに凸部６７が嵌まり込んだ状態で従動体６とピックアップユニット２が一緒に移動し、ピックアップユニット２の可動範囲外へは広角部３３Ｂと凸部６７の先端面とを摺接させながら従動体６を低負荷で円滑に単独移動させることができ、しかも従動体６をピックアップユニットの可動範囲内に復帰させるときには、広角部３３Ｂと凸部６７の先端面との摺接により凸部６７の先端が狭角部３３Ａに嵌まり込むまでピックアップユニットを停止状態のまま待機させることができる。
【００４６】
尚、上記例ではピックアップユニットに凹部３３、従動体に凸部６７を夫れ夫れ形成したが、ピックアップユニットに凸部６７、従動体に凹部３３を夫れ夫れ形成するようにしてもよい。
【００４７】
ここで、以上のように構成されるディスクドライブ装置の作用を説明する。
(ディスク装填時)
先ず、ディスク装填時において、ディスク搬送手段を構成するスライドカム２２は、図３に示す前端位置にあり、可逆モータ７には第２伝動系が繋がっている。この状態で図示せぬディスクホルダにディスク(ＭＤ)を入れて押し込むと、これをセンサが感知して可逆モータ７が正転(図３の時計方向)し、ディスクホルダの引き込みが行われる。ディスクホルダが定位置まで引き込まれると、該ホルダによりスライドカム２２が押され、そのギア部２２Ａがギア１８に噛み合ってスライドカム２２の引き込みも開始される。そして、ディスクの中心がターンテーブルに載る直前にスライドカム２２で揺動アーム２０の先端が押圧され、カムホイールのギア部１９Ａがギア１１に噛み合い、その回転によって切換ギア１２の降下が行われ、伝動経路が第１伝動系に切り換わる。
(再生時)
伝動経路が第１伝動系に切り換わると、スライドカムの板カム部２２Ｂはヘッドリフタのロックピン２５Ｂから外れるが、ヘッドリフタ２５はロック体２６によりロックされた状態にあって、磁気ヘッド２４が上限位置に保持されている。そして、この状態で可逆モータ７を正逆に回転駆動することにより、公知のようにピックアップユニット２をディスクの半径方向に移送しながらその記録情報を再生することができる。
(記録時)
一方、ディスクに情報記録を行う場合には、ピックアップユニット２をディスク外周部の終端位置まで送った後、ネジ軸５の回転を続行する。すると、図５のように従動体６がピックアップユニットの終端位置より外方へ単独移動しながら、その突片６５でロック体の解錠ピン２６Ｄを押圧する。これにより、ロック体２６がロック解除方向に旋回して、ヘッドリフタの係止部２５Ｃから掛爪２６Ｂが外れるようになる。この結果、図７のように、磁気ヘッド２４が降下してディスクへの情報記録が可能となる。尚、ディスクへの情報記録を行うべく、従動体６をピックアップユニットの可動範囲内に復帰させてピックアップユニットをディスクの半径方向に移送するときには、ロック体の掛爪２６Ｂが係止部２５Ｃの下方に入り込んでヘッドリフタ２５の下方揺動(図７における支点軸２５Ａを中心とする反時計方向の揺動)を規制するために、磁気ヘッド２４をディスクに接触させたまま情報記録を確実に行うことができる。
(ディスク排出時)
ディスク排出時には、ピックアップユニット２をディスク内周部の初期位置まで送った後、ネジ軸５の回転を続行する。すると、従動体６がピックアップユニット２の初期位置より外方へ単独移動しながら、その突片６５で図３に示すスライドアーム２１の一端を押圧する。これにより、カムホイールのギア部１９Ａがギア１１に噛み合い、その回転によって切換ギア１２が上昇し、伝動経路が第２伝動系に切り換わる。この結果、ギア１８にギア部２２Ａを噛み合わされているスライドカム２２の前方移動が行われ、これが定位置までに達した段階で図示せぬディスクホルダが押されて、これに格納されたディスクが外部に排出されるようになる。
【００４８】
尚、ディスク排出時には、スライドカム２２の前方移動で板カム部２２Ｂがヘッドリフタのロックピン２５Ｂを押下するために、ヘッドリフタ２５がスライドカム２２とロック体２６により二重ロックされるようになるが、記録状態から再生状態へ移行する場合には、スライドカムの板カム部２２Ｂがヘッドリフタのロックピン２５Ｂを押下した段階で可逆モータ７を逆転動作から正転動作に切り換え、ディスクホルダを動かさずにロック体２６によるヘッドリフタ２５の再ロックが行われた直後にスライドカム２２を後端まで引き込む。
【００４９】
以上、本発明について説明したが、係るディスクドライブ装置は上記のような構成に限らず、例えばカム機構を利用した上記例のような伝動経路切換手段に代えて、これに遊星ギア(首振りギア)などを利用することもできる。
【００５０】
又、上記例では、従動体をピックアップユニットの可動範囲外へ移動させることにより磁気ヘッドの降下が行われる構成としたが、係るヘッド昇降手段としてターンテーブルに載せられたディスクを回転させるディスク回転用モータを利用することもできる。以下、係るヘッド昇降手段の変更例を図１５、１６に示して説明する。尚、上記例と同じ部材には同一符号を付して詳細な説明は省略する。
【００５１】
図１５及び図１６において、４０は正逆回転可能なディスク回転用モータ(ステッピングモータ)であり、その駆動軸には公知の如くターンテーブル１が取り付けられる。４６は上記例のロック体に代わるアーム状のロック体であり、このロック体４６はディスク回転用モータ４０側の一端縁にギア部４６Ａを有してディスク回転用モータ４０とヘッドリフタ２５との間で移動可能に設けられ、これに接続するバネ４７によりヘッドリフタ２５側に付勢される。そして、係るロック体４６はその一端部でヘッドリフタのロックピン２５Ｂを押圧してヘッドリフタ２５をロックし、これにより上記例と同じく磁気ヘッド２４が上限位置に保持されるようになっている。特に、本例ではディスク回転用モータ４０の駆動軸に、その軸直角方向へ延びる旋回アーム４８(キャリヤ)を接続するなどしてロック体４６によるヘッドリフタ２５のロックを解除する解錠手段が構成される。本例において、その解錠手段はディスク回転用モータ４０の駆動軸にサンギア４９を取り付けると共に、そのサンギアに噛み合うアイドルギア５０と、このアイドルギアに噛み合う遊星ギア５１を旋回アーム４８に取り付け、ディスク回転用モータ４０の逆転(ディスク再生時とは逆向きの駆動)により遊星ギア５１とロック体のギア部４６Ａが係合してヘッドリフタ２５のロックが解除される構成とされる。つまり、ディスク回転用モータ４０の逆転時には遊星ギア５１が同方向に回転しながら旋回アーム４８がロック体４６に向けて旋回し、これにより遊星ギア５１とロック体のギア部４６Ａが係合したときにロック体４６がディスク回転用モータ４０側に引き込まれ、而してロック体４６の一端部に形成される掛爪４６Ｂがヘッドリフタのロックピン２５Ｂから外れるようになっている。尚、ロック体４６によるヘッドリフタ２５のロックが解除された場合には、上記例のように磁気ヘッド２４が降下してディスクへの情報記録が可能となり、記録動作中にはロック体の掛爪４６Ｂがロックピン２５Ｂの下方に入り込んでヘッドリフタ２５の下方揺動(図１６における支点軸２５Ａを中心とする反時計方向の揺動)を規制する。又、磁気ヘッド２４を上昇させるときには、上記例と同じくスライドカム２２を前方移動(図１５の矢印方向)させることによりヘッドリフタ２５を下方揺動せしめてロック体４６による再ロックを行うことができる。
【００５２】
ここで、サンギア４９、アイドルギア５０、及び遊星ギア５１を省略し、旋回アーム４８の一端部をワンウェイクラッチを介してディスク回転用モータ４０の駆動軸に接続すると共に、ロック体４６を水平方向に揺動するヨーイングアームとし、ディスク回転用モータ４０の逆転時に旋回アーム４８がロック体としてのヨーイングアームの一端部を押圧することにより、ヘッドリフタ２５のロックが解除されるようにしても良い。
【００５３】
尚、以上のように構成される本発明のディスクドライブ装置は、ＭＤプレーヤなどの光磁気記録再生装置としてだけでなく、磁気ヘッド及びその昇降手段を省略し、ＤＶＤ−ＲＡＭなどの光ディスクを対象とする光記録再生装置としても利用できる。
【図面の簡単な説明】
【００５４】
【図１】本発明に係るディスクドライブ装置の平面概略図
【図２】伝動経路が第１伝動系から第２伝動系に切り換わる状態を示す説明図
【図３】図１を基にその手前側(上方)に配されるディスク搬送手段を説明する図
【図４】ロック体の平面図
【図５】ロック体によるヘッドリフタのロックが解除される状態を示す説明図
【図６】磁気ヘッドが上限位置に保持された状態を示す側面図(図５を右側からみた            図を右に９０度回転させた図)
【図７】磁気ヘッドが降下した状態を示す側面図
【図８】ピックアップユニットの一端部を示す断面図
【図９】凹部を形成する固定板の斜視図
【図１０】従動体の斜視図
【図１１】従動体の底面図
【図１２】従動体をネジ軸に取り付けた状態を示す底面図
【図１３】図８のＡ−Ａ断面図
【図１４】図８のＢ−Ｂ断面図
【図１５】ヘッド昇降手段の変更例を示す平面概略図
【図１６】ヘッド昇降手段の変更例を示す側面概略図
【符号の説明】
【００５５】
１  ターンテーブル
２  ピックアップユニット
５  ネジ軸(原動体)
６  従動体
７  可逆モータ(ピックアップ移送手段とディスク搬送手段の駆動源)
８Ａ  第１伝動系
８Ｂ  第２伝動系
２２  スライドカム
２３  ピッチングアーム
２４  磁気ヘッド
２５  ヘッドリフタ
２６  ロック体
２６Ｂ  掛爪
３３  凹部
３３Ａ  狭角部
３３Ｂ  広角部
４０  ディスク回転用モータ
４６  ロック体
４６Ｂ  掛爪
４８  旋回アーム
５１  遊星ギア
６２  ラック部
６６  歯部
６７  凸部
【図１】
2005044480.tif 000003
【図２】
2005044480.tif 000004
【図３】
2005044480.tif 000005
【図４】
2005044480.tif 000006
【図５】
2005044480.tif 000007
【図６】
2005044480.tif 000008
【図７】
2005044480.tif 000009
【図８】
2005044480.tif 000010
【図９】
2005044480.tif 000011
【図１０】
2005044480.tif 000012
【図１１】
2005044480.tif 000013
【図１２】
2005044480.tif 000014
【図１３】
2005044480.tif 000015
【図１４】
2005044480.tif 000016
【図１５】
2005044480.tif 000017
【図１６】
2005044480.tif 000018